(57)【要約】      （修正有）【課題】ブロックの外郭部やセメントに混入する骨材をプラスチック廃棄物から再生するもので、軽量、安価且つ配設作業や移送中に損傷することない台座用ブロックの提供。【解決手段】プラスチック廃棄物を再生利用した断面梯形状の筐体２に端壁１８を接着し、筐体中にはセメントの２倍の重量のプラスチック廃棄物の再生加工処理中に発生する粉状屑を水量の水及び減水剤からなるモルタルを充填固化したコンクリート１２からなる。配設作業は軽労働であって長期の使用に耐えるものとすることができる。【選択図】図２
0003124347.tif 000002
【実用新案登録請求の範囲】
【請求項１】
廃プラスチックを再生利用した上壁と両側壁からなる断面が梯形状の筐体と筐体に接着する両端壁とを成形し、該筐体内に固着するコンクリートはセメント１重量部に対して廃プラスチックの再生加工処理中に発生する粉状屑２重量部、減水剤であるシーカメント２２００Ｎを０．０１重量部、水０．５重量部を混合撹拌したモルタルを充填したことを特徴とする台座用ブロック。
【請求項２】
前記筐体の上壁にはナット状部材を摺動可能に配置するため蟻溝状の上溝と該上溝の下方向にボルトを挿入する下溝とを筐体と一体的に成形し、前記端壁上端部には上溝と整合する切込を設けると共に下溝下部と整合する位置に開口を設け更にその下部には握持用凹所ける一方、筐体両端縁の内面に嵌入する係合リブを設けたことを特徴とする請求項１記載の台座用ブロック。
【請求項３】
前記筐体には両端壁を接着すると共に底壁を水密に接着し、取付手段のボルトを挿入する下溝の底板一側に設けた孔より注水して充満し、該孔は板片で密着閉塞することを特徴とする台座用ブロック。
【考案の詳細な説明】
【技術分野】
【０００１】
本考案は家庭都市及び工場から排出されるプラスチック廃棄物（以下廃プラスチックと称す）からリサイクル処理されるものから可能な限り利用するもので、断面梯形状の筐体に端壁を接着形成し、これに対し主として廃プラスチックの再生処理中に発生する粉体状屑からなる骨材をセメントと加水混合したモルタルを充填したコンクリートからブロックに関するものである。
【背景技術】
【０００２】
従来のブロックはセメントに砂利、蛇紋石からなる骨材を混入して加水処理したモルタルを型枠に充填した直方体か断面梯形に成形したコンクリートブロックである。このブロックの両端は手作業で持ち運び配設する握持用凹部を設け、載置する各種機器は鉄線で結束するか、複雑で大形のクランプで支持固定していた。
【０００３】
近時、空調室外器を載置する台座として断面梯形状のプラスチック筐体を成形し、内部はコンクリートを充填することはなく、多数の保形板と耐荷重板を１体的に設けたブロックが出廻っている。
【０００４】
更に先般、本願に係る考案者は実用新案登録第３０９７６４７号でブロックを提案している。該ブロックはセメントに砂利、蛇紋石からなる骨材を混入して加水処理したコンクリートブロックで上部長手方向にはナットを摺動自在に配置する蟻溝状の上溝と上溝から下方へ延長したボルト挿入用下溝とを軽金属材で埋設形成したものである。そして、ブロック両端面には握持用凹部を設けた構造のものである。
【考案の開示】
【考案が解決しようとする課題】
【０００５】
プラスチック筐体内に多数の保形板と耐荷重板を設けたものは材質的にも構造的にも軽量安価であるが、太陽光や寒暖の差及び風雨で筐体の内外面が浸蝕劣化してゆき、更に積載荷重に耐えきれず切損崩壊する欠点を有し、車輪止めや大径配管の搭載するには強度が不足して損傷破壊する欠点がある。
【０００６】
更に、セメントに砂利、蛇紋石からなる骨材を加水処理したコンクリートからなるブロックは硬度があっても脆弱で大きな重量を有する。本来ブロックは製造工程や積上げ積下し、配設には作業員の重労働を伴う手作業が多く、ブロックの隅角部は僅かな外的衝撃で折損破壊され、多くの不良商品となる欠陥が発生するものである。そして、ブロック上部に埋設する上溝と下溝は別に成形した金属板であって、ブロック製作工程も大きな手数となり製造コストを高額となるなどの欠点を解決しようとするものである。
【課題を解決するための手段】
【０００７】
本考案は廃プラスチックの再生処理材から断面梯形状で所望長さの筐体と該筐体に接着する両端壁を押出成形し、筐体内に充填して固化するコンクリートは廃プラスチックの再生処理中に発生する粉状屑からなる骨材にセメントを混入して加水処理したモルタルである。前記筐体の上壁に設けた長孔の下側には取付手段としてのナットを摺動可能に配置する蟻溝状の上溝と該上溝の下側にはボルトを挿入する下溝とを筐体と一体的に成形し、前記端壁には上溝に整合する切込と下溝下部の相当位置に開口を設け、その下部には握持用の凹部を設ける一方、端壁内面側には筐体の端縁に嵌合して接着するリブを突設したものである。これにより軽量で衝撃に耐えるばかりでなく製造コストが低廉で環境に適する製品となしたことにより問題点を解決している。
【考案の効果】
【０００８】
本考案に係るブロックは再生プラスチック製の筐体と端壁を接着し、これにコンクリートを密着充填したもので、外面は気候の温度差、風雨で或程度は腐食劣化しても、内面は気候や外気に左右されず、全体的には恒久的に堅牢な状態を保持する。更に、充填したコンクリートはセメントに混入する骨材が廃プラスチックの再生処理中に発生する粉状屑で投棄する以外に用途のないものである。そして、強度が高く、そしてブロック全体は従来のコンクリート製品に比較して軽量であり、製造及び製品の移送や持運びや配設の手作業中に過って取り落としたり、地盤に隅角部に打ち当てても欠損破壊して不良商品となることがない、そしてブロック配設工事が短時間で正確安全になし得るものである。
【０００９】
載置物固定用取付手段を配設する取付溝はプラスチック押出成形によって筐体と一体的に成形され、所望の硬度と柔軟性を有している。従って、載置物荷重の負荷に耐えることは勿論、強風、地震不特定方向からの外力によって取付手段の歪みや折曲力にも上溝の内方張出縁は僅かに変形する程度であって、容易に破損することはなく、載置物の取付固定状態を長期に亘って維持する。
【００１０】
筐体とその両端に接着する端壁とは別体として製造することによりプラスチックの成形加工が単純で多量に生産可能であり、また、筐体は長大に成形したのち、工場や配設現場の何れでも数種の規格の長さに切断して現場に適合するブロックを迅速確実且つ格安に製作して配設可能としたものである。
【００１１】
本考案ブロックは従来のコンクリートブロックに比較して軽量で載置物を確実に固定可能となり、また、製造及び移送配設に体力を要する重労働から解放され、これにより、ブロックの用いられる載置物の種類範囲も拡大された。即ち、灯油用タンク、給油器、ブロアー、石油タンクの付随設備、敷地の物置、機械装置、その他多くのものに用いられるようになったものである。
【考案を実施するための最良の形態】
【００１２】
ブロックの外郭は環境を配慮すると共に低加工コストとなるよう廃プラスチックをリサイクルしてペレットのような再生処理材からなり、これを押出成形により長大な筐体部材を成形すると共に端壁は射出成形して強力な接着剤で外郭を形成する。長大な筐体部材は注文に応じて工場で所定の長さに切断するが、配設現場に適する長さとするため、折畳み作業台で適宜小型の回転鋸で切断するものである。
【００１３】
筐体に充填するコンクリートモルタルはセメントに混入する骨材としてペレットなどの再生処理中に止むをえず発生する粉状屑を用いる。この粉状屑は全く再使用法がなくて投棄しているものであるから、可能な限り大量に混入するものである。更に、モルタルを現場で筐体に充填するとき急速に固化乾燥させることが好ましく、加水量を少なくするには減水剤としてシーカメント２２００Ｎを微量混入する。このように混合して撹拌したモルタルは筐体に密接付着させるため現場作業台でも小型電気振動機で筐体の隅部まで侵入付着させて急速に固化してコンクリートとなる。斯かるコンクリートは従来の砂利、蛇紋石の骨材に比して硬度は低いが筐体に保護されて外的衝撃に耐える一方、筐体自体は柔軟且つ貼弾性があり、密着したコンクリートにより荷重にも充分に耐える構造とされている。
【００１４】
取付手段を配置する上溝と下溝とを形成する部材は筐体の押出成形時に１体的に成形される。従って製作が簡易である。蟻溝状の上溝に摺動自在に配置するナットは他の変形例として断面が上溝形状で５〜６ｃｍの長さの軽金属や不食金属にボルトの螺合孔を設けたものでもく、載置物に対する不特定方向の衝撃にも下溝まで挿入したボルトにより負荷力が分散されて長期に亘り使用可能である。
【実施例】
【００１５】
以下、添付図面に従って一実施例を説明する。
図１で示すブロック１は筐体２には取付手段であるナット７とボルト９を装着したものである。図２は図１のＡ−Ａ線断面図である。ブロック１の筐体２は廃塩化ビニール樹脂をリサイクルしたもので上壁３及び４の両外側縁より両側壁及び１４を延設する。上壁３及び４の内側縁間の長孔６はボルト９の挿通間隔を有し、その下側は側板と段部とでナット７を摺動配置する蟻溝状の上溝８を設ける。上溝８の段部を介して下方へ延長した側板と下板１１とでボルト９を挿入する下溝１０とを押出成形により筐体２と一体的に形成する。
【００１６】
図３、図４に示す如く筐体２に接着する両端壁１８は廃ＡＢＳ樹脂をリサイクル加工したもので、筐体２の端縁形状に整合する略梯形状に成形する。端壁１８の内側面の周縁部分には筐体２の上壁及び両側壁の内側に嵌入して接着するリブ１９を突設する。更に端壁１８上縁中央部には上溝８と整合する形状の切込２１を設け、下溝１０の下部に対応する位置には浸入水が自然に排出する開口２２を設ける。そしてその下部にはブロック１を持ち運ぶための握持用凹部２３を内方へ設けている。
【００１７】
両端壁を接着した筐体２内にはコンクリート１２を密接に配設するためモルタルを作成する。このモルタルはポルトランドセメント１重量部に対して、廃塩化ビニール樹脂の再生処理加工中に発生する粉状屑２重量部、水０．５重量部、減水剤としてのシーカメント２２００Ｎを０．０１重量部を混合撹拌して筐体２内に投入充填する。特に筐体２を振動させながら充填するとモルタルは筐体の隅角部まで侵入して付着係合固化することによりコンクリート１２となる。
【００１８】
前記モルタルの投入により筐体２は側壁１３、１４が拡開しようとするときは、図２に示す如く、両端壁１８のリブ１９下端に設けた突出部２０が筐体両側壁下端縁に設けた押圧片１７と係合して両側壁１３、１４の外方への拡開を抑止する。
【００１９】
前記上溝８に取付手段であるナット７を装着するには六角乃至四角ナットの対応両面が上溝８の両側板の内幅間隔内に摺動する間隔とされており、上溝の両  端開口より挿入する。ボルトは空調室外器の脚部孔に挿通したのち前記ナット７に螺挿し、それから下溝１０に挿入する。更に機器の適切部を固定するには適宜の金属板の両端に孔を設けた取付介助板の一方の孔に介装していてもよい。
【００２０】
高い建築物やマンション屋上の水槽装置付属物や室外器をブロック１で支持するときは、長大な筐体２部分や端壁１８を部材として運び上げ、その後筐体部材は配設現場に適合するよう２００ｍｍ、３００ｍｍ、４００ｍｍの長さに切断し、両端壁材を瞬間接着剤で水密に付着する一方、図２の二点鎖線で示す底壁２．５を水密に接着する。それから、下溝底板１１の一側に穿設した孔より注水して満水したのち適宜板片を接着して密閉することによりブロックとして使用することも可能である。
【００２１】
本考案の一実施例は上述した構成であるから、筐体２もコンクリートの骨材も産業廃棄プラスチック材より成形し、取付手段を配置する上下溝８、１０も筐体と一体的に成形したので、堅牢であって損傷し難い柔軟性がある。しかも、製作工程が簡易で現場設置に適応性があり、長期の使用に耐えるものである。
【図面の簡単な説明】
【００２２】
【図１】本考案に係る台座用ブロックの実施例を示す一部切欠全体斜視図である。
【図２】図１のＡ−Ａ線断面図である。
【図３】端壁の内側面図である。
【図４】図３のＢ−Ｂ線断面図である。
【符号の説明】
【００２３】
１    ブロック
２    筐体
３．４  上壁    
６    長孔
７    ナット  
８    上溝
９    ボルト
１０  下溝
１１  下板
１２  コンクリート
１３．１４    側壁
１６．１７    押圧片
１８    端壁
１９    リブ
２０    突出部
２１    切込
２２    開口  
２３    凹部
２５    底壁
【図１】
0003124347.tif 000003
【図２】
0003124347.tif 000004
【図３】
0003124347.tif 000005
【図４】
0003124347.tif 000006
【手続補正書】
【提出日】平成18年6月5日(2006.6.5)
【手続補正１】
【補正対象書類名】実用新案登録請求の範囲
【補正対象項目名】全文
【補正方法】変更
【補正の内容】
【実用新案登録請求の範囲】
【請求項１】
廃プラスチックを再生利用した上壁と両側壁からなる断面が梯形状の筐体と筐体に接着する両端壁とを成形し，該筐体内に固着するコンクリートはセメント１重量部に対して廃プラスチックの再生加工処理中に発生する粉状屑２重量部，減水剤であるシーカメント２２００Ｎを０．０１重量部，水０．５重量部を混合撹拌したモルタルを充填したことを特徴とする台座用ブロック。
【請求項２】
前記筐体の上壁にはナット状部材を摺動可能に配置するため蟻溝状の上溝と該上溝の下方向にボルトを挿入する下溝とを筐体と一体的に成形し，前記端壁上端部には上溝と整合する切込を設けると共に下溝下部と整合する位置に開口を設け，更にその下部には握持用凹所を設ける一方，筐体両端縁の内面に嵌入する係合リブを設けたことを特徴とする請求項１記載の台座用ブロック。